(57)【要約】【課題】  電力量に関する情報の内容を豊富にでき、かつ、当該電力量に関する情報を、住戸側の装置により簡易に得られるエネルギーマネージメントシステムを提供する。【解決手段】  マンション１の各住戸６のＬＡＮ７には、電力量計１２の検出データをインターネット用データに変換する電力量計アダプタ２１が接続され、ＭＤＦ２には、電力量計アダプタ２１経由で住戸対応電力使用量データを読取って住戸６毎に蓄積し、住戸対応電力使用量データを管理センター３へ転送するコントローラ９が備えられ、ＬＡＮ７に備えられるハブ５Ａには、管理センター３からの出力情報を表示するパソコン２２が接続されている。電力量に関する種々の情報について、その算出を行なう装置を住戸６毎に設けなくても住戸６毎に表示できる。電力量に関する種々の情報の算出を行なう装置を住戸毎に設けない分、住戸６側の装置を簡素化できる。【選択図】    図１
2006162424.tif 000002
【特許請求の範囲】
【請求項１】
インターネット回線が引き込まれる集合住宅の主配線分配装置のハブから分岐して各住戸に延びるように設けられて前記インターネット回線を介して管理センターに接続されるＬＡＮと、
各住戸の電力線に接続されて住戸対応電力使用量を検出する電力量計とを備え、
前記各住戸のＬＡＮには、前記電力量計の検出データをインターネット用データに変換する電力量計アダプタが接続され、
前記主配線分配装置には、前記各住戸の電力量計アダプタ経由で住戸対応電力使用量データを読取って前記住戸毎に蓄積し、当該住戸毎の住戸対応電力使用量データを前記管理センターへ転送するコントローラが備えられ、
前記各住戸のＬＡＮに備えられるハブには、前記管理センターからの出力情報を表示する情報機器が接続されていることを特徴とするエネルギーマネージメントシステム。
【請求項２】
前記管理センターは、
前記住戸対応電力使用量データと、
前記住戸対応電力使用量データ及び目標となる基準使用量から求められる住戸対応電力削減量データと、
前記住戸対応電力使用量データに対応する商品又はサービスに還元可能の使用量ポイント情報データと、
前記住戸対応電力削減量に対応する商品又はサービスに還元可能の削減量ポイント情報と、を選択的に出力することを特徴とする請求項１記載のエネルギーマネージメントシステム。
【請求項３】
前記情報機器には、各住戸の電力消費量と、ゲームの結果に基づき、動植物の育成を行なう遊技機能が備えられ、前記管理センターは、前記情報機器の遊技結果に応じて商品又はサービスに還元可能の遊技結果ポイント情報を出力することを特徴とする請求項１又は２記載のエネルギーマネージメントシステム。
【請求項４】
インターネット回線が引き込まれる集合住宅の主配線分配装置のハブから分岐して各住戸に延びるように設けられて前記インターネット回線を介して管理センターに接続されるＬＡＮと、
各住戸の電力線に接続されて住戸対応電力使用量を検出する電力量計と、
前記各住戸の電力線における前記電力量計の下流側に設けられる分電盤と、
前記分電盤の子ブレーカを通して使用される電力量を子ブレーカ対応電力使用量として得、かつその合計を住戸対応電力使用量として得る電力使用量算出手段と、
前記各住戸のＬＡＮに接続され、前記電力使用量検出手段の算出データをそれぞれインターネット用データに変換するデータ変換手段と、を備え、
前記主配線分配装置に、前記データ変換手段経由で子ブレーカ対応電力使用量データ及び住戸対応電力使用量データを読取って前記子ブレーカ及び前記住戸毎に蓄積し、前記子ブレーカ毎の子ブレーカ対応電力使用量データ及び前記住戸毎の住戸対応電力使用量データを前記管理センターへ転送するコントローラが備えられ、
前記各住戸のＬＡＮに備えられるハブには、前記管理センターからの出力情報を表示する情報機器が接続されていることを特徴とするエネルギーマネージメントシステム。
【請求項５】
前記管理センターは、
前記住戸対応電力使用量データと、
前記管理センターが前記住戸対応電力使用量データと目標となる基準使用量とから求めた住戸対応電力削減量データと、
前記住戸対応電力使用量データに対応する商品又はサービスに還元可能の使用量ポイント情報と、
前記住戸対応電力削減量に対応する商品又はサービスに還元可能の削減量ポイント情報と、
前記子ブレーカ対応電力使用量データと、
前記子ブレーカ対応電力使用量データ及び目標となる基準使用量から求められる機器使用教示情報と、を選択的に出力することを特徴とする請求項４記載のエネルギーマネージメントシステム。
【請求項６】
前記情報機器には、各住戸の電力消費量と、ゲームの結果に基づき、動植物の育成を行なう遊技機能が備えられ、前記管理センターは、遊技結果に対応する商品又はサービスに還元可能の遊技結果ポイント情報を出力することを特徴とする請求項４又は５に記載のエネルギーマネージメントシステム。
【請求項７】
前記情報機器は、パソコン及び／又はインターネット対応テレビであることを特徴とする請求項１から６のいずれかに記載のエネルギーマネージメントシステム。
【発明の詳細な説明】
【技術分野】
【０００１】
本発明は、各戸の電力使用量を把握すると共に、その情報を種々、利用するエネルギーマネージメントシステムに関する。
【背景技術】
【０００２】
電力使用量を把握するエネルギーマネージメントシステムの例として、特許文献１及び特許文献２にそれぞれ示すエネルギーマネージメントシステムがある。
特許文献１のエネルギーマネージメントシステムは、各家庭等の電力消費側に設置される電力読み取り装置と、電力供給側に設置される情報処理装置とから大略構成されている。電力読み取り装置は、電子式電力量計で自動的に使用電力量を計測（自動的検針）し且つ記憶し、定期的に使用電力量を電力供給側の情報処理装置に報告し、これを基にして電力供給側の管理センターは、課金等の業務を自動的に行うようにしており、使用電力量を測定する（検針）する人手間を省けるようにしている。
【０００３】
特許文献２のエネルギーマネージメントシステムは、集合住宅の各住戸に備えた住宅情報盤が、電力量計から読み込んだ電力使用量のデータに基づいて、瞬時使用量や月間使用量や電力料金などのデータを作成してモニタ画面に表示させたり、前年との比較結果を表示させたりし、当該住戸における電力使用量や電力料金などのデータを逐次把握するようにしている。
【特許文献１】特開平１０−１１１３２６号公報
【特許文献２】特開２００２−３５４５６０号公報
【発明の開示】
【発明が解決しようとする課題】
【０００４】
しかしながら、特許文献１のエネルギーマネージメントシステムでは、検針の手間が省けるものの、電力量に関する情報を充分生かしきれていなかった。
また、特許文献２のエネルギーマネージメントシステムでは、瞬時使用量や月間使用量や電力料金などのデータを住戸毎に設けたモニタ画面に表示させたり、前年との比較結果を表示させるようにしており、この分、特許文献１のエネルギーマネージメントシステムに比して、電力量に関する情報の利用範囲が拡大している。
【０００５】
しかしながら、特許文献２のエネルギーマネージメントシステムでは、住戸毎に設けたモニタ画面に表示される電力量に関する情報は、住戸毎に設けた装置（電力量計及び住宅情報盤）により算出された情報のみであり、その分、電力量に関する情報の内容が制約されており、改善の余地があるというのが実情であった。また、特許文献２のエネルギーマネージメントシステムでは、モニタ画面に表示される電力量に関する情報の算出は住戸側に設けた装置により行なわれており、この分、住戸側の装置構成が複雑になり、住戸側の経済的な負担を招き易いものになっていた。
【０００６】
本発明は、上記事情に鑑みてなされたものであり、電力量に関する情報の内容を豊富にでき、かつ、当該電力量に関する情報の表示を、住戸側の装置により簡易に得ることができるエネルギーマネージメントシステムを提供することを目的とする。
【課題を解決するための手段】
【０００７】
請求項１記載のエネルギーマネージメントシステムに係る発明は、インターネット回線が引き込まれる集合住宅の主配線分配装置のハブから分岐して各住戸に延びるように設けられて前記インターネット回線を介して管理センターに接続されるＬＡＮと、各住戸の電力線に接続されて住戸対応電力使用量を検出する電力量計とを備え、前記各住戸のＬＡＮには、前記電力量計の検出データをインターネット用データに変換する電力量計アダプタが接続され、前記主配線分配装置には、前記各住戸の電力量計アダプタ経由で住戸対応電力使用量データを読取って前記住戸毎に蓄積し、当該住戸毎の住戸対応電力使用量データを前記管理センターへ転送するコントローラが備えられ、前記各住戸のＬＡＮに備えられるハブには、前記管理センターからの出力情報を表示する情報機器が接続されていることを特徴とする。
請求項２記載の発明は、請求項１記載のエネルギーマネージメントシステムにおいて、前記管理センターは、前記住戸対応電力使用量データと、前記住戸対応電力使用量データ及び目標となる基準使用量から求められる住戸対応電力削減量データと、前記住戸対応電力使用量データに対応する商品又はサービスに還元可能の使用量ポイント情報データと、前記住戸対応電力削減量に対応する商品又はサービスに還元可能の削減量ポイント情報と、を選択的に出力することを特徴とする。
請求項３記載の発明は、請求項１又は２記載のエネルギーマネージメントシステムにおいて、前記情報機器には、各住戸の電力消費量と、ゲームの結果に基づき、動植物の育成を行なう遊技機能が備えられ、前記管理センターは、前記情報機器の遊技結果に応じて商品又はサービスに還元可能の遊技結果ポイント情報を出力することを特徴とする。
【０００８】
請求項４記載に係るエネルギーマネージメントシステムの発明は、インターネット回線が引き込まれる集合住宅の主配線分配装置のハブから分岐して各住戸に延びるように設けられて前記インターネット回線を介して管理センターに接続されるＬＡＮと、各住戸の電力線に接続されて住戸対応電力使用量を検出する電力量計と、前記各住戸の電力線における前記電力量計の下流側に設けられる分電盤と、前記分電盤の子ブレーカを通して使用される電力量を子ブレーカ対応電力使用量として得、かつその合計を住戸対応電力使用量として得る電力使用量算出手段と、前記各住戸のＬＡＮに接続され、前記電力使用量検出手段の算出データをそれぞれインターネット用データに変換するデータ変換手段と、を備え、前記主配線分配装置に、前記データ変換手段経由で子ブレーカ対応電力使用量データ及び住戸対応電力使用量データを読取って前記子ブレーカ及び前記住戸毎に蓄積し、前記子ブレーカ毎の子ブレーカ対応電力使用量データ及び前記住戸毎の住戸対応電力使用量データを前記管理センターへ転送するコントローラが備えられ、前記各住戸のＬＡＮに備えられるハブには、前記管理センターからの出力情報を表示する情報機器が接続されていることを特徴とする。
請求項５記載の発明は、請求項４記載のエネルギーマネージメントシステムにおいて、前記管理センターは、前記住戸対応電力使用量データと、前記管理センターが前記住戸対応電力使用量データと目標となる基準使用量とから求めた住戸対応電力削減量データと、前記住戸対応電力使用量データに対応する商品又はサービスに還元可能の使用量ポイント情報と、前記住戸対応電力削減量に対応する商品又はサービスに還元可能の削減量ポイント情報と、前記子ブレーカ対応電力使用量データと、前記子ブレーカ対応電力使用量データ及び目標となる基準使用量から求められる機器使用教示情報と、を選択的に出力することを特徴とする。
【０００９】
請求項６記載の発明は、請求項４又は５に記載のエネルギーマネージメントシステムにおいて、前記情報機器には、各住戸の電力消費量と、ゲームの結果に基づき、動植物の育成を行なう遊技機能が備えられ、前記管理センターは、遊技結果に対応する商品又はサービスに還元可能の遊技結果ポイント情報を出力することを特徴とする。
請求項７記載の発明は、請求項１から６のいずれかに記載のエネルギーマネージメントシステムにおいて、前記情報機器は、パソコン及び／又はインターネット対応テレビであることを特徴とする。
【発明の効果】
【００１０】
請求項１から３、及び７記載の発明によれば、集合住宅の各住戸のＬＡＮには、電力量計の検出データをインターネット用データに変換する電力量計アダプタが接続され、主配線分配装置には、電力量計アダプタ経由で住戸対応電力使用量データを読取って住戸毎に蓄積し、住戸毎の住戸対応電力使用量データを管理センターへ転送するコントローラが備えられ、ＬＡＮに備えられるハブには、管理センターからの出力情報を表示する情報機器が接続されているので、表示部に表示される電力量に関する情報の算出を住戸毎に設けた装置で行なう従来技術に比して、住戸側の装置を簡素化でき、これに伴い住戸側の経済的な負担を抑制できる。
【００１１】
請求項４から７記載の発明によれば、電力使用量算出手段が分電盤の子ブレーカを通して使用される電力量を子ブレーカ対応電力使用量として得、かつその合計を住戸対応電力使用量として算出し、データ変換手段が電力使用量検出手段の算出データをそれぞれインターネット用データに変換し、主配線分配装置に設けたコントローラが、データ変換手段経由で子ブレーカ対応電力使用量データ及び住戸対応電力使用量データを読取って子ブレーカ及び住戸毎に蓄積し、子ブレーカ毎の子ブレーカ対応電力使用量データ及び住戸毎の住戸対応電力使用量データを管理センターへ転送し、各住戸のＬＡＮに備えられるハブに接続された情報機器が、管理センターからの出力情報を表示するので、表示部に表示される電力量に関する情報の算出を住戸毎に設けた装置で行なう従来技術に比して、住戸側の装置を簡素化できる。さらに、子ブレーカに接続される負荷毎に電力管理を行なえ、電力使用を精度高く果たすことができる。
【発明を実施するための最良の形態】
【００１２】
以下、本発明の第１実施の形態に係るエネルギーマネージメントシステムを図１及び図２に基づいて、図３及び図４を参照して説明する。
図１において、マンション１（集合住宅）のＭＤＦ２（主配線分配装置）には、電力供給側の管理センター３が接続されたインターネット回線４が引き込まれるようになっている。インターネット回線４はＭＤＦ２のハブ５で分岐され、各住戸６にはＬＡＮ７が延びている。ＭＤＦ２は、インターネット回線４に接続されるルータ８と、ルータ８に接続されて各住戸６に対応するＬＡＮ７を分岐接続するハブ５と、ハブ５に接続された後述するコントローラ９と、からなっている。ＬＡＮ７は、インターネット回線４を介して管理センター３に接続されている。この場合、ＬＡＮ７では、通信制御方式としてイーサネット（登録商標）規格を採用しているが、他の規格を用いるようにしてもよい。また、ＬＡＮに代えて、VDSL〔Very high-bit-rate Digital Subscriber Line〕やPLC〔電力線搬送通信、Power Line Communications〕を用いるようにしてもよい。
【００１３】
マンション１には基幹電力線１０が引き込まれている。基幹電力線１０には、各住戸６に対応して電力線１１が分岐接続されている。電力線１１の途中には、電力量計１２及び分電盤１３がこの順に設けられている。電力量計１２は、各住戸６の電力使用量（以下、住戸対応電力使用量という。）を検出する。分電盤１３には、親ブレーカ１４と、親ブレーカ１４に分岐して接続される複数個の子ブレーカ１５（図４参照）とが備えられ、子ブレーカ１５には、例えばＩＨクッキングヒータ１６、ビルドインエアコン（床暖房機）、エコキュート（給湯器）、プリンタ（図示省略）、スキャナ（図示省略）などのインターネット接続機器１８、インターネット対応ＴＶ１９、及びその他の家庭電化製品２０（図４参照）などが接続されている。本実施の形態では、子ブレーカ１５と負荷とを１対１対応して設けた場合を例にするが、これに代えて複数の負荷（例えば部屋毎に並列接続された複数の負荷）に対して１個の子ブレーカ１５を対応して設けるように構成してもよい。
【００１４】
各住戸６のＬＡＮ７に備えられるハブ５Ａには、電力量計１２の検出データをインターネット用データに変換する電力量計アダプタ２１が接続されている。
コントローラ９は、各住戸６の電力量計アダプタ２１経由で住戸対応電力使用量データを１５分間隔で住戸６毎に読取って住戸６毎に蓄積し、住戸６毎の住戸対応電力使用量データを１時間毎に管理センター３へ転送する。
前記各住戸６のＬＡＮ７に備えられるハブ５Ａには、管理センター３からの出力情報を表示するパソコン２２（情報機器）、ＩＰ電話アダプタ２３及び各種機器が接続されている。ＩＰ電話アダプタ２３には、電話機２４及びパソコン２２Ａなどが接続されている。
【００１５】
管理センター３は、住戸対応電力使用量データに基づいて、今月の本日までの電気利用量・電気料金、先月の電気利用量、本日の電気料金、本日時点で予測される今月の電気料金を算出する。また、管理センター３は、先月の電気使用量を削減量算出用基準使用量（目標となる基準使用量）と比較して電力削減量（以下、住戸対応電力削減量データという。）を算出する。削減量算出用基準使用量（目標となる基準使用量）は、当該住戸６における昨年までの同月の電気使用量を用いている。なお、削減量算出用基準使用量としては、これに代えて、当該住戸６における昨年までの同月の電気使用量の平均値を用いたり、マンション１全体における昨年までの同月の電気使用量の平均値を用いたりするようにしてもよい。
【００１６】
さらに、管理センター３は、前記算出データ〔今月の本日までの電気利用量・電気料金、先月の電気利用量、本日の電気料金、本日時点で予測される今月の電気料金、住戸対応電力削減量データ〕などを出力するようにしている。そして、パソコン２２は、ＩＤ番号、パスワードによる確認を条件にして、その表示部２５に、管理センター３からの出力情報〔今月の本日までの電気使用量、先月の電気使用量、住戸対応電力削減量データ〕を表示し得るようになっている。パソコン２２の表示部２５には、例えば図２（Ａ）に示すように、本日の電気料金〔９月１７日の電気料金〕、今月の本日までの電気料金〔９月の１７日までの電気料金〕、本日時点で予測される今月の電気料金〔『このままでいくと、９月の電気料金は』で示される料金〕が表示される。また、図２（Ｂ）に示すように、今月の本日までの電気利用量及び先月の電気利用量が表示される。
【００１７】
なお、管理センター３からの前記各データの出力は、選択的に行なうようにしてもよい。
そして、各住戸６の住人は、パソコン２２の表示部２５の表示内容により、電力消費の多寡を把握し、使用負荷への不要な通電などを停止し、電力の有効利用を図ることができる。このように電力消費の多寡を把握し、使用負荷への不要な通電などを停止し、電力の有効利用を図ることができることは、後述する第３実施の形態にも同様に言えることである。
【００１８】
上述したように構成されたエネルギーマネージメントシステムによれば、ＭＤＦ２に備えたコントローラ９が、各住戸６の電力量計アダプタ２１経由で住戸対応電力使用量データを読取って住戸６毎に蓄積し、該住戸６毎の住戸対応電力使用量データを管理センター３へ転送する。このようにコントローラ９が各住戸６の住戸対応電力使用量データを当該マンション１で一括した形で管理センター３（インターネット側）へ転送するので、各住戸６から個別に管理センター３へ転送する場合に比して、構成を簡易化できる。
【００１９】
また、パソコン２２の表示部２５には、上述したように、管理センター３からの出力情報（今月の本日までの電気利用量・電気料金、先月の電気利用量、本日の電気料金、本日時点で予測される今月の電気料金、住戸対応電力削減量データ）〔電力量に関する情報〕を表示し得るようになっている。このため、本実施の形態のエネルギーマネージメントシステムは、表示部（モニタ画面）に表示される電力量に関する情報の算出を住戸毎に設けた装置で行なう従来技術に比して、電力量に関する情報の算出を行なう装置を住戸６毎に設けなくて済むので、住戸６側の装置を簡素化でき、これに伴い住戸６側の経済的な負担を抑制できる。
また、住戸対応電力削減量データを算出するのに用いる削減量算出用基準使用量として、マンション１全体の電力使用量の平均値などのように当該住戸６以外の電力使用量を用いることが可能となり、これに伴い、電力量に関する情報の内容を豊富にすることができる。
【００２０】
なお、近時、表示価格の数％を買い物客にポイントとして還元し、次回の買い物で、そのポイントを、そのポイント値に応じた額の買い物に利用できるという、いわゆるポイント還元割引制度が利用されるようになってきている。そして、上記実施の形態において、前記ポイント還元割引制度を利用することが可能である。
【００２１】
上述したポイント還元割引制度を利用したエネルギーマネージメントシステム（第２実施の形態）を図３に基づき、図１及び図２を参照して説明する。
第２実施の形態の管理センター３は、住戸対応電力使用量データに対応する商品又はサービスに還元可能の使用量ポイント情報データを算出し、かつ、住戸対応電力削減量に対応する商品又はサービスに還元可能の削減量ポイント情報を算出すると共に、このように算出した情報を、各住戸６のパソコン２２（情報機器）の表示部２５に表示させる。例えば、図３に示すように、本日の獲得ポイントＰ１及び累積ポイントＰ２を表示部２５に表示させる。
【００２２】
このように、各住戸６の住人は、電力使用及びその削減により使用量ポイント及び削減量ポイントを得ることができる。このため、各住戸６の住人は、例えば必要最小限までの電力使用に関しては使用量ポイントを得、必要最小限を超える電力使用に関しては、削減量ポイントを得るように電力使用を工夫することが可能であり、このように電力使用することより、ポイントを獲得しつつ、電力使用の削減の一助となる。
【００２３】
上記第２実施の形態では、管理センター３は、使用量ポイント情報データ及び削減量ポイント情報を共に算出・出力するように構成しているが、両情報のうち一方のみを算出・出力するようにしてもよい。例えば、使用量ポイント情報データを算出・出力する場合には、電力使用量の増大を各住戸６の住人に促すことになる。また、削減量ポイント情報を算出・出力する場合には、電力使用量の削減を各住戸６の住人に促すことになり、ＣＯ2の削減効果を図ることができる。
【００２４】
なお、住戸対応電力使用量データに関して、図３に示すように、横軸を今月及び先月の日付け、縦軸を電力量として、今月の住戸対応電力使用量（消費電力量）〔線分Ａで示す〕及び先月の住戸対応電力使用量〔線分Ｂで示す〕を対比してグラフ表示してもよい。また、住戸対応電力使用量に対応する量のＣＯ2の排出量を算出し、今月の本日までのＣＯ2の排出量及び先月のＣＯ2の排出量について、煙を模擬したキャラクタ画像で表示するようにしてもよい。今月、先月の住戸対応電力使用量〔線分Ａ、Ｂ〕を対比したグラフ表示及びＣＯ2の排出量についての画像表示により、住人は電力使用量の削減について、より明確に把握することができる。
また、本実施の形態では、管理センター３では、例えば今月の住戸対応電力使用量及び先月の住戸対応電力使用量に基づいて、電力の効率的な使用に関してのアドバイス、ひいては省エネルギーに関するアドバイスを内容とする情報（アドバイス情報）を対応する住戸のパソコン２５に送信するようにしている。そして、住人がパソコン２２を操作することにより前記アドバイス情報の内容が表示部２５に文字で表示される（本実施の形態では、図３の「省エネアドバイス」の欄に表示される）ようになっている。
【００２５】
上述したようにＣＯ2の排出量の画像表示を行なったり、ポイントの表示を行うことにより、電力使用量の削減を各住戸６の住人に促すことが可能であり、電力使用量の削減効果を果たす上で、表示部２５が表示される回数が多くなることが望まれる。この観点から、図３に示される画面（便宜上、オール電化倶楽部の画面という。）３０のトップ頁が利用者のクリックにより表示される毎にポイントを積算したり、オール電化倶楽部の画面３０で、各住戸６の電力消費量と、模擬表示されたトランプ３１を用いたゲーム（トランプゲーム）の結果に基づき、模擬表示されたペット３２（動物）及び模擬表示された植物３３の育成を行なう遊技機能をパソコン２２に持たせるように構成してもよい。
また、パソコン２２に前記遊技機能を持たせる場合、その遊技結果に応じてポイントを住人に与えるようにしてもよい。また、この遊技においては、ポイントに応じてペット３２とのコミュニケーションが高度化するように設定することにより、前記遊技の興趣の向上を図り、ひいては電力使用量の削減効果の向上を図るようにしてもよい。
【００２６】
次に、本発明の第３実施の形態に係るエネルギーマネージメントシステムを図４に基づいて説明する。
本発明の第３実施の形態に係るエネルギーマネージメントシステムは、第１、２実施の形態に係るエネルギーマネージメントシステムに比して、次の（１）〜（５）の事項を有していることが主に異なっている。なお、本発明の第３実施の形態に係るエネルギーマネージメントシステムも、上記第１、２実施の形態に係るエネルギーマネージメントシステムが奏する上記効果〔電力量に関する情報について、その算出を行なう装置を住戸６毎に設けることなく住戸６毎に表示して、各住戸の装置を簡易化できる〕を奏するようになっている。
【００２７】
（１）各住戸６に設けたピークカット分電盤１３Ａの子ブレーカ１５を通して使用される電力量を子ブレーカ対応電力使用量として得、かつその合計を住戸対応電力使用量として得るようにしていること。
（２）電力量計アダプタ２１を廃止したこと。
（３）ＭＤＦ２のコントローラ９が蓄積、転送するデータが子ブレーカ対応電力使用量データ及び住戸対応電力使用量データであること。
（４）パソコン２２に代えてインターネット対応ＴＶ１９（情報機器）が表示などの機能を果たすようにしたこと。
（５）管理センター３が、次の（i）〜（vi）のデータを選択的に出力すること。
（i）住戸対応電力使用量データ。
（ii）管理センター３が前記住戸対応電力使用量データと目標となる基準使用量とから求めた住戸対応電力削減量データ。
（iii）前記住戸対応電力使用量データに対応する商品又はサービスに還元可能の使用量ポイント情報。
（iv）前記住戸対応電力削減量に対応する商品又はサービスに還元可能の削減量ポイント情報。
（v）前記子ブレーカ対応電力使用量データ。
（vi）前記子ブレーカ対応電力使用量データ及び目標となる基準使用量から求められる機器使用教示情報（省エネアドバイス）。
【００２８】
第３実施の形態に係るエネルギーマネージメントシステムでは、第１、２実施の形態の分電盤１３に代えて、ピークカット分電盤１３Ａを設けている。ピークカット分電盤１３Ａは、電力量計１２の下流側に接続される親ブレーカ１４及び親ブレーカ１４に対して分岐して接続される子ブレーカ１５からなるブレーカ群３５と、ブレーカ群３５に接続されて電気の使いすぎに対して予め設定した負荷に接続した子ブレーカ１５を遮断し、不意の全停電を防止するピークカットユニット３６と、から大略構成されている。
【００２９】
ピークカットユニット３６は、子ブレーカ１５に接続される各負荷で使用される電力量を子ブレーカ対応電力使用量として得、かつその合計を住戸対応電力使用量として得る機能を有している。本実施の形態では、ピークカットユニット３６が電力使用量算出手段を構成している。
【００３０】
ピークカットユニット３６には、拡張ＢＯＸ３７が接続されている。拡張ＢＯＸ３７は、ＭＤＦ２のハブ５に接続したＬＡＮ７に設けたハブ５Ａと、ピークカットユニット３６の算出データ（子ブレーカ対応電力使用量及び住戸対応電力使用量）をそれぞれインターネット用データに変換するエコマネユニット３８と、から大略構成されている。
【００３１】
子ブレーカ１５には、上述したのと同様に、例えばＩＨクッキングヒータ１６、ビルドインエアコン（床暖房機）〔図示省略〕、エコキュート（給湯器）〔図示省略〕、プリンタ（図示省略）、スキャナ（図示省略）などのインターネット接続機器１８、インターネット対応ＴＶ１９、及びその他の家庭電化製品２０などが接続されている。なお、インターネット接続機器１８及びインターネット対応ＴＶ１９などは、子ブレーカ１５と共にマルチメディアコンセント３９を介してハブ５Ａにも接続されている。また、拡張ＢＯＸ３７のハブ５Ａには、図示したインターネット接続機器１８及びインターネット対応ＴＶ１９以外の他の図示しないインターネット接続機器がさらに接続されている。
【００３２】
また、管理センター３は、上述したように前記（i）〜（vi）に示される各情報を出力するようにしている。インターネット対応ＴＶ１９は、管理センター３からの出力情報を前記第１実施の形態と同様にして、その表示部２５Ａに表示させる。
【００３３】
上述したように構成されたエネルギーマネージメントシステムによれば、ＭＤＦ２に備えたコントローラ９が、エコマネユニット３８（データ変換手段）経由で子ブレーカ対応電力使用量データ及び住戸対応電力使用量データを読取って子ブレーカ１５及び住戸６毎に蓄積し、子ブレーカ１５毎の子ブレーカ対応電力使用量データ及び住戸６毎の住戸対応電力使用量データを管理センター３へ転送する。このようにコントローラ９が各住戸６の住戸対応電力使用量データ及び子ブレーカ１５毎の子ブレーカ対応電力使用量データを、当該マンション１で一括した形で管理センター３（インターネット側）へ転送するので、各住戸６から個別に転送するので、各住戸６から個別に管理センター３に転送する場合に比して、構成を簡易化できる。
【００３４】
また、インターネット対応ＴＶ１９（情報機器）の表示部２５Ａには、上述したように、管理センター３からの出力情報（住戸対応電力使用量データ、住戸対応電力削減量データ、使用量ポイント情報、削減量ポイント情報、子ブレーカ対応電力使用量データ、子ブレーカ対応電力使用量データ及び機器使用教示情報）〔電力量に関する情報〕を選択的に表示し得るようになっている。このため、本実施の形態のエネルギーマネージメントシステムは、表示部（モニタ画面）に表示される電力量に関する情報の算出を住戸毎に設けた装置で行なう従来技術に比して、住戸６側の装置を簡素化でき、これに伴い住戸６側の経済的な負担を抑制できる。
【００３５】
また、上記第１実施の形態と同様に、電力量に関する情報の内容を豊富にすることができる。さらに、子ブレーカ対応電力使用量データ等を表示することにより、機器毎の電力使用状況を把握でき、ひいては機器毎に電力の使用を精度高く調節することができるようになる。
さらに、この第３の実施の形態でも、前記第２の実施の形態と同様に、アドバイス情報がパソコン２５の表示部２５に表示され得るものになっており、アドバイス情報の内容すなわち表示部２５への表示内容は、子ブレーカ１５毎ひいては使用機器〔ＩＨクッキングヒータ１６、ビルドインエアコン〔図示省略〕、エコキュート〔図示省略〕、インターネット接続機器１８、インターネット対応ＴＶ１９など〕毎の内容を含むものになっている。このため、住人は使用機器毎に踏み込んだアドバイスを受けることが可能になり、このアドバイスにより電力を効率的に使用できるようになる。
【００３６】
この第３実施の形態においても、第２実施の形態（図３）と同様に、インターネット対応ＴＶ１９に、オール電化倶楽部の画面で、各住戸６の電力消費量と、トランプゲームの結果に基づき、ペット（動物）及び植物の育成を行なう遊技機能を持たせるように構成してもよい。
なお、上記第１、第２実施の形態では、電力量に関する情報、ポイント情報の表示及び遊技に係る表示をパソコン２２で行なう場合を例にしたが、パソコン２２に代えてインターネット対応ＴＶ１９を用いて表示するように構成してもよい。
上記実施の形態では、ゲームがトランプゲームである場合を例にしたが、本発明はこれに限らず、ゲームとしては、模擬表示された将棋を用いたゲーム、模擬表示された囲碁を用いたゲームなど他のゲームであっても良い。
【図面の簡単な説明】
【００３７】
【図１】本発明の第１実施の形態に係るエネルギーマネージメントシステムを模式的に示すブロック図である。
【図２】図１のパソコンの表示内容を示す図である。
【図３】本発明の第２実施の形態に係るエネルギーマネージメントシステムを説明するためのパソコンの表示内容を示す図である。
【図４】本発明の第３実施の形態に係るエネルギーマネージメントシステムを模式的に示すブロック図である。
【符号の説明】
【００３８】
３…管理センター、４…  、６…住戸、９…コントローラ、１２…電力量計、１３…分電盤、１３Ａ…ピークカット分電盤、１９…インターネット対応ＴＶ（情報機器）、２２…パソコン（情報機器）、２５，２５Ａ…表示部。
【図１】
2006162424.tif 000003
【図２】
2006162424.tif 000004
【図３】
2006162424.tif 000005
【図４】
2006162424.tif 000006